(57)【要約】【課題】レンズ鏡筒および画像表示部に汚れや傷が付くのを軽減することができるカメラを提供する。【解決手段】画像を表示する画像表示部１８と、画像表示部１８を覆う位置と、画像表示部１８から退避した位置との間で移動可能な第１のバリア部材１９と、レンズ鏡筒１１の前面を覆う位置と、この前面から退避した位置との間で移動可能な第２のバリア部材１２と、カメラ動作に関する複数のモードを設定可能な制御手段とを有し、制御手段は、第１のバリア部材および第２のバリア部材の位置に応じてモードを切り換える。【選択図】  図１
2004184652.tif 000002
【特許請求の範囲】
【請求項１】
カメラ本体に設けられ、画像を表示する画像表示部と、
この画像表示部を覆う位置と、前記画像表示部から退避した位置との間で移動可能な第１のバリア部材と、
レンズ鏡筒の前面を覆う位置と、この前面から退避した位置との間で移動可能な第２のバリア部材と、
カメラ動作に関する複数のモードを設定可能な制御手段とを有し、
前記制御手段は、前記第１のバリア部材および前記第２のバリア部材の位置に応じて前記モードを切り換えることを特徴とするカメラ。
【発明の詳細な説明】
【０００１】
【発明の属する技術分野】
本発明は、カメラ動作に関する複数のモードを切り換え可能なカメラに関するものである。
【０００２】
【従来の技術】
レンズ鏡筒の前面を保護するバリア（鏡筒バリア）のみを有するデジタルカメラにおいては、鏡筒バリアがレンズ鏡筒の前面から退避した状態にあるときに撮影可能なモードとなり、鏡筒バリアがレンズ鏡筒の前面を覆う状態にあるときに撮影画像を再生表示するモード（再生モード）となるものがある。そして、再生モード時に鏡筒バリアをレンズ鏡筒の前面から退避させると、記録媒体に撮影画像情報を記録するモード（記録モード）に切り換わるものがある（例えば、特許文献１参照）。
【０００３】
また、鏡筒バリアと液晶ディスプレイの前面を保護するディスプレイバリアとを有するデジタルカメラにおいては、鏡筒バリアおよびディスプレイバリアが連結機構を介して連結されており、ディスプレイバリアの移動に連動して鏡筒バリアが撮影レンズの前面に対して進退するものがある（例えば、特許文献２参照）。
【０００４】
さらに、鏡筒バリアとディスプレイバリアとを有するデジタルカメラにおいては、鏡筒バリアおよびディスプレイバリアをカメラ本体に設けられたグリップ部内に収納可能としたものがある（例えば、特許文献３参照）。このカメラでは、グリップ部をカメラ本体の横方向にスライド（引き出しおよび収納）させることにより、ディスプレイバリアを液晶ディスプレイに対して進退させることができるとともに、カメラの主電源の切り換えることができる。
【０００５】
【特許文献１】
特開平９−１３５３７７号公報
【特許文献２】
特開平１０−３０４２２９号公報
【特許文献３】
特開平１１−２９８７７３号公報
【０００６】
【発明が解決しようとする課題】
特許文献１では、ディスプレイバリアが設けられておらず、主に硝子やプラスチック等で表示面が構成されている液晶ディスプレイが常に露出された状態にある。このため、液晶ディスプレイが汚れたり、外部からの衝撃で破損したりするおそれがある。
【０００７】
一方、特許文献２では、ディスプレイバリアが設けられているため、特許文献１で述べた問題は生じない。しかし、鏡筒バリアは、ディスプレイバリアの移動に連動しているため、撮影画像を再生するためだけにディスプレイバリアを液晶ディスプレイから退避させると、鏡筒バリアもレンズ鏡筒の前面から退避してしまう。
【０００８】
ここで、撮影画像を再生する場合には、レンズ鏡筒を使用することはないため、鏡筒バリアによりレンズ鏡筒の前面を覆っておくことが好ましいが、上述したカメラの構成では、撮影画像の再生時にもレンズ鏡筒の前面が露出された状態となっている。このため、レンズ鏡筒が汚れたり、外部からの衝撃で傷が付いたりするおそれがある。
【０００９】
また、特許文献３においてもディスプレイバリアが設けられているため、特許文献１で述べた問題は生じない。しかし、特許文献３のカメラの構成では、主電源をＯＮ状態とするためにグリップ部をカメラ本体から引き出す必要があり、この場合にはレンズ鏡筒が必ず露出状態となっている。このため、主電源がＯＮ状態である場合において、レンズ鏡筒を使用せず（撮影を行わず）に撮影画像を再生表示させる場合にも、レンズ鏡筒は露出していることになる。
【００１０】
このように画像再生時にもレンズ鏡筒が露出した状態にあると、レンズ鏡筒が汚れたり、外部からの衝撃で傷が付いたりするおそれがある。
【００１１】
本発明はこのような問題に鑑み、レンズ鏡筒および液晶ディスプレイのうち一方を使用しないときには必ずバリアによって保護することが可能なカメラを提供することを目的とする。そして、鏡筒バリアおよびディスプレイバリアの位置に応じてカメラ動作に関するモードを切り換え可能なカメラを提供することを目的とする。
【００１２】
【課題を解決するための手段】
本発明のカメラは、カメラ本体に設けられ、画像を表示する画像表示部と、この画像表示部を覆う位置と、画像表示部から退避した位置との間で移動可能な第１のバリア部材と、レンズ鏡筒の前面を覆う位置と、この前面から退避した位置との間で移動可能な第２のバリア部材と、カメラ動作に関する複数のモードを設定可能な制御手段とを有し、制御手段は、第１のバリア部材および第２のバリア部材の位置に応じてモードを切り換えることを特徴とする。
【００１３】
すなわち、第１のバリア部材および第２のバリア部材を独立して移動可能にすることで、画像表示部又はレンズ鏡筒のうち使用しないものについては第１のバリア部材又は第２のバリア部材で覆うようにし、画像表示部又はレンズ鏡筒に汚れや傷が付くのを軽減するようにしている。しかも、第１のバリア部材および第２のバリア部材の位置に応じてカメラ動作に関するモードを切り換えるようにすることで、モードを切り換えるための専用の操作部材を不要とし、この操作部材の煩雑な操作をなくすとともに、部品点数の削減によりカメラの小型化および低コスト化を図ることができるようにしている。
【００１４】
上記発明において、第１のバリア部材および第２のバリア部材を連結するとともに、この連結を解除可能な連結機構を備えることができる。このように連結機構によって第１のバリア部材および第２のバリア部材を連動させることにより、２つのバリア部材を移動させる際に、一方のバリア部材を移動させるだけで他方のバリア部材を移動させることができる。このため、２つのバリア部材それぞれを単独で移動させる場合に比べて、２つのバリア部材を移動させるための操作を簡略化することができる。そして、第１のバリア部材および第２のバリア部材の連結を解除することもできるため、２つのバリア部材を単独で移動させることもできる。ここで、連結機構に、第１のバリア部材および第２のバリア部材の連結を解除するための操作部材を設けることができる。
【００１５】
上記発明において、制御手段は、第１のバリア部材が画像表示部を覆う位置（第１の位置）にあるとともに、第２のバリア部材がレンズ鏡筒の前面を覆う位置（第１の位置）にあるときに、カメラ本体の電源をオフ状態とすることができる。また、制御手段は、第１のバリア部材が画像表示部から退避した位置（第２の位置）にあるとともに、第２のバリア部材が上記第１の位置にあるときに、画像表示部に画像を表示させるモードとすることができる。
【００１６】
さらに、制御手段は、第１のバリア部材が上記第１の位置にあるとともに、第２のバリア部材がレンズ鏡筒の前面から退避した位置（第２の位置）にあるときに、第１の撮影モードとすることができる。ここで、第１の撮影モードとしては、例えば、カメラが光学部材を介して被写体を観察するための光学ファインダを有する場合において、この光学ファインダを用いて撮影を行うモードがある。
【００１７】
また、制御手段は、第１のバリア部材が上記第２の位置にあるとともに、第２のバリア部材が上記第２の位置にあるときに、第２の撮影モードとすることができる。ここで、第２の撮影モードとしては、例えば、画像表示部（電子ファインダ）に表示された被写体画像を観察しながら撮影を行うモードがある。
【００１８】
【発明の実施の形態】
（第１実施形態）
本発明の第１実施形態であるカメラについて説明する。図１は本実施形態におけるカメラの外観斜視図であり、（ａ）はカメラの正面側、（ｂ）はカメラの背面側を示している。
【００１９】
同図において、１０はカメラ本体であり、この内部には、撮像素子などの撮影動作に必要な部材が配置されている。１１はレンズ鏡筒であり、光軸方向に繰り出したり繰り込んだりすることでズーミングが可能となっているとともに、不使用時にはカメラ本体１０内に収納（沈胴）されるようになっている。
【００２０】
１２は鏡筒バリア（第２のバリア部材）であり、レンズ鏡筒１１、ファインダ対物側窓１４および投光用窓１５を覆って、これらの部材を保護するためのバリアである。この鏡筒バリア１２は、カメラ本体１０の前面に配置され、上記部材の前面を覆う位置と、この前面から退避した位置との間で移動可能となっている。ここで、投光用窓１５の内部には不図示の投光素子が配置されており、この投光素子は、被写体側に焦点調節を行う際の補助光や、赤目緩和のための光を投光する。
【００２１】
１３は２段ストローク構成となっているレリーズボタンであり、第１ストロークの操作により撮影準備動作（測光動作、焦点調節動作等）が行われ、第２ストロークの操作により撮影動作が行われる。
【００２２】
１６はストロボであり、カメラ本体１０内に配置された後述するメインＩＣ２０からの命令に応じて被写体に照明光を照射する。なお、投光用窓１５は本発明における必須の構成ではない。１７は、撮影者が被写体像を観察するためのファインダ接眼側窓、１８は撮影画像等を表示するためのディスプレイ（画像表示部）である。
【００２３】
１９はディスプレイバリア（第１のバリア部材）であり、ディスプレイ１８と、ディスプレイ１８の周辺に配置された不図示の操作ボタンとを覆って、これらの部材を保護するためのバリアである。このディスプレイバリア１９は、カメラ本体１０の背面に配置されており、上記部材の前面を覆う位置と、この前面から退避した位置との間で移動可能となっている。
【００２４】
ここで、鏡筒バリア１２とディスプレイバリア１９は、後述する連結機構によって連動し、鏡筒バリア１２をレンズ鏡筒１１等の前面から退避させる（開く）と必ずディスプレイバリア１９はディスプレイバリア１８等の前面から退避する（開く）。また、鏡筒バリア１２がレンズ鏡筒１１等の前面を覆う（閉じる）と、必ずディスプレイバリア１９がディスプレイ１８等の前面を覆う（閉じる）ようになっている。また、鏡筒バリア１２およびディスプレイバリア１９は、単独で開閉することも可能となっている。
【００２５】
図２は、鏡筒バリア１２およびディスプレイバリア１９の位置と、カメラの設定モードとの関係を概略的に示した図であり、上から順にカメラの正面図、上面図、背面図を表している。ここで、図１で説明した部材と同じ部材については、同一符号を用いる。
【００２６】
図２において、「Ａ」はカメラの電源がＯＦＦの状態、「Ｂ」はディスプレイ１８で被写体を観察して撮影を行うためのモード（ディスプレイ撮影モード、第２の撮影モード）である。また、「Ｃ」はディスプレイ１８に撮影画像を再生表示させるためのモード（再生モード）、「Ｄ」はファインダ１７により被写体を観察して撮影を行うためのモード（ファインダ撮影モード、第１の撮影モード）である。
【００２７】
図３は、本実施形態におけるカメラの主要構成を示すブロック図であり、鏡筒バリアＳＷ２１、ディスプレイバリアＳＷ２２、メインＩＣ（制御手段）２０、鏡筒モータ２３、レンズ鏡筒１１、ディスプレイ１８の関係を示したものである。
【００２８】
鏡筒バリアＳＷ２１およびディスプレイバリアＳＷ２２はそれぞれ、鏡筒バリア１２およびディスプレイバリア１９の開状態を検知するためのスイッチであり、開状態にあるときＯＮ状態となり、閉状態にあるときＯＦＦ状態となる。
【００２９】
図４は、鏡筒バリアＳＷ２１およびディスプレイバリアＳＷ２２のＯＮ／ＯＦＦ状態に対応したカメラの各モードをまとめた表である。また、図５は、メインＩＣ２０の動作フローチャートである。
【００３０】
図５において、ステップＳ１では、鏡筒バリアＳＷ２１がＯＮ状態であるか否かを判断し、ＯＮ状態であればステップＳ２に進み、ＯＦＦ状態であればステップＳ３に進む。ステップＳ２およびステップＳ３では、ディスプレイバリアＳＷ２２がＯＮ状態であるか否かを判断する。
【００３１】
ステップＳ２において、ディスプレイバリアＳＷ２２がＯＮ状態であればステップＳ４に進んでディスプレイ撮影モードの設定を行い、ＯＦＦ状態であればステップＳ５に進んでファインダ撮影モードの設定を行う。ステップＳ３において、ディスプレイバリアＳＷ２２がＯＮ状態であればステップＳ６に進んで再生モードの設定を行い、ＯＦＦ状態であればステップＳ７に進んでカメラの電源をＯＦＦ状態とする。
【００３２】
以下、各モードの詳細について説明する。
【００３３】
図２において、カメラを使用しないときには、電源がＯＦＦ状態（Ａ）となっており、鏡筒バリア１２およびディスプレイバリア１９はそれぞれ、レンズ鏡筒１１およびディスプレイ１８を覆うことにより、これらの部材に傷や汚れが付くのを防止する役割を果たしている。
【００３４】
撮影者が撮影を行うために、鏡筒バリア１２を「Ａ」に示す状態から矢印α方向に手動でスライドさせると、鏡筒バリア１２の開状態を検知する鏡筒バリアＳＷ２１がＯＮ状態となる。また、鏡筒バリア１２のスライド操作に連動してディスプレイバリア１９が矢印α方向にスライドすることで、ディスプレイバリア１９の開状態を検知するディスプレイバリアＳＷ２２がＯＮ状態となる。
【００３５】
このように、鏡筒バリアＳＷ２１又はディスプレイバリアＳＷ２２がＯＮ状態となることで、カメラのメイン電源がＯＮ状態となる。そして、図３において、メインＩＣ２０は、鏡筒バリアＳＷ２１およびディスプレイバリアＳＷ２２からのＯＮ信号を受けると、鏡筒モータ２３を駆動することによってレンズ鏡筒１１を所定の位置（撮影位置）まで繰り出す。
【００３６】
また、メインＩＣ２０は、鏡筒バリアＳＷ２１およびディスプレイバリアＳＷ２２のＯＮ信号を受けることにより、図５に示すフローに従ってディスプレイ撮影モードに設定する。これにより、レンズ鏡筒１１の繰り出し動作と同時に、ディスプレイ１８において被写体画像の表示が可能となる。そして、撮影者はディスプレイ１８に表示された被写体画像を見ながら撮影を行うことが可能となる（「Ｂ」：ディスプレイ撮影モード）。
【００３７】
なお、本実施形態のカメラは、レンズ鏡筒１１の繰り出し繰り込みによりズーミングが可能なカメラとなっているが、レンズ鏡筒１１の繰り出し繰り込みのない単焦点カメラであってもよい。
【００３８】
図２の「Ｃ」は、撮影画像の再生モードである。カメラが再生モードにあるときには、カメラ本体１０内に収納された不図示の記録媒体から、この記録媒体に記録された撮影画像データを読み出し、この読み出したデータに応じた撮影画像をディスプレイ１８に表示させることができる。
【００３９】
カメラが図２中「Ａ」の状態にある場合において、撮影者の操作により鏡筒バリア１２およびディスプレイバリア１９の連結を断ってディスプレイバリア１９をだけ矢印α方向にスライドさせることで、カメラは図２中「Ｃ」の状態となる。また、カメラが図２中「Ｂ」の状態にある場合において、撮影者の操作により鏡筒バリア１２およびディスプレイバリア１９の連結を断って鏡筒バリア１２だけを矢印β方向にスライドさせることで、カメラは「Ｃ」の状態となる。
【００４０】
カメラを図２中「Ａ」から「Ｃ」の状態にする場合において、ディスプレイバリア１９を矢印α方向に単独で開くと、鏡筒バリアＳＷ２１はＯＦＦ状態のままで、ディスプレイバリアＳＷ２２だけがＯＮ状態となる。この２つの信号を受けたメインＩＣ２０は、図５に示すフローに従って再生モードであると判断して、ディスプレイ１８に再生用の撮影画像を表示させる。
【００４１】
また、カメラを図２中「Ｂ」から「Ｃ」の状態にする場合において、鏡筒バリア１２だけを矢印β方向にスライドさせてレンズ鏡筒１１およびファインダ対物側窓１４を閉じると、ディスプレイバリアＳＷ２２はＯＮ状態のままで、鏡筒バリアＳＷ２１だけがＯＦＦ状態となる。この２つの信号を受けたメインＩＣ２０は、図５に示すフローに従って再生モードであると判断する。
【００４２】
このとき、メインＩＣ２０は、まず鏡筒モータ２３を駆動することによってレンズ鏡筒１１を沈胴状態として、ディスプレイ１８の表示を撮影用表示から再生用表示に切り換える。再生モードにおいては、レンズ鏡筒１１は必ず沈胴状態にあり、この前面が鏡筒バリア１２に保護されている。このため、誤ってレンズ鏡筒１１内のレンズを傷付けたり、汚したりすることがなくなる。
【００４３】
図２中「Ｄ」は、ファインダ撮影モードであり、このモードは主にバッテリの充電が残り少ない場合や日中でディスプレイ１８の表示が見難い場合等を理由としてディスプレイ１８を使用しないときに用いられる。
【００４４】
ファインダ撮影モードは、ディスプレイ撮影モード（図２中「Ｂ」）において、鏡筒バリア１２との連結を断った状態でディスプレイバリア１９を単独で矢印γ方向にスライドさせてディスプレイ１８を閉じることで設定することができる。
【００４５】
図２中「Ｂ」の状態からディスプレイバリア１９を矢印γ方向にスライドさせてディスプレイ１８を閉じると、鏡筒バリアＳＷ２１はＯＮ状態のままで、ディスプレイバリアＳＷ２２だけがＯＦＦ状態となる。これらの信号によってメインＩＣ２０は、図５に示すフローに従ってファインダ撮影モードであると判断して、ディスプレイ１８における撮影用の被写体画像表示をＯＦＦにする。
【００４６】
図２中「Ｄ」の状態では、撮影者はファインダ接眼側窓１７を覗いて撮影することになるが、ディスプレイ１８は必ずディスプレイバリア１９によって保護されているため、ディスプレイ１８を傷付けたり汚したりすることがなくなる。
【００４７】
図６は、鏡筒バリア１２およびディスプレイバリア１９を連結する連結機構を概略的に示したものであり、本実施形態では、連結機構がクリック式で構成されている。ここで、クリック式の構成とは、バリア１２、１９の位置をクリックによって切り換える構成をいい、鏡筒バリア１２およびディスプレイバリア１９のうち一方のバリアを固定しない限り両方のバリアが一体となって動くようになっている。
【００４８】
図６において、１２ａは、ディスプレイバリア１９および鏡筒バリア１２を連結するための連結部であり、鏡筒バリア１２に一体成形されている。１９ａ、１９ｂ、１９ｃは、ディスプレイバリア１９に形成されたクリック溝部である。なお、連結部１２ａは、鏡筒バリア１２に一体成形せずに別部材としてもよい。また、他の符号は図１と同様であるため、説明を省略する。さらに、図６に示す「Ａ」〜「Ｄ」の状態は、図２に示す「Ａ」〜「Ｄ」の状態に対応する。
【００４９】
図６中「Ａ」の状態において、連結部１２ａは、ディスプレイバリア１９のクリック溝部１９ｂに係合している。撮影者は、「Ａ」の状態から撮影を行うために鏡筒バリア１２を手動で矢印δ方向にスライドさせると、連結部１２ａがクリック溝部１９ｂに係合したままであるため、ディスプレイバリア１９も矢印δ方向にスライド移動し、ディスプレイ１８が露出する（「Ｂ」の状態）。
【００５０】
「Ａ」から「Ｃ」の状態にするには、鏡筒バリア１２を固定してディスプレイバリア１９だけを矢印δ方向にスライドさせて、連結部１２ａをクリック溝部１９ｂからクリック溝部１９ａに係合させる。また、「Ｂ」の状態において、ディスプレイバリア１９を固定して鏡筒バリア１２だけを矢印ε方向にスライドさせて、連結部１２ａをクリック溝部１９ｂからクリック溝部１９ａに係合させることにより、「Ｃ」の状態にすることができる。
【００５１】
「Ｄ」の状態にするには、「Ｂ」の状態において、鏡筒バリア１２を固定してディスプレイバリア１９を矢印ε方向にスライドさせて、連結部１２ａをクリック溝部１９ｂからクリック溝部１９ｃに係合させる。また、「Ａ」の状態において、ディスプレイバリア１９を固定して、鏡筒バリア１２だけを矢印δ方向にスライドさせて、連結部１２ａをクリック溝部１９ｂからクリック溝部１９ｃに係合させることにより「Ｄ」の状態とすることができる。
【００５２】
本実施形態のカメラによれば、鏡筒バリア１２およびディスプレイバリア１９を連動させることができるとともに、鏡筒バリア１２およびディスプレイバリア１９のうち一方のバリアだけを移動させることができる。このため、ディスプレイ１８およびレンズ鏡筒１１のうち一方を使用して、他方を使用しない場合にあっては、使用しないものだけをバリアで覆うことができる。これにより、従来技術のように使用しないディスプレイ又はレンズ鏡筒が露出して、この露出した部分に傷が付いたり、多くの汚れが付着したりするのを軽減することができる。
【００５３】
例えば、ディスプレイ１８で撮影画像を再生（再生モード）する場合、従来技術ではディスプレイだけでなく使用しないレンズ鏡筒も露出することになるため、レンズ鏡筒に汚れや傷が付くおそれがある。一方、本実施形態では、鏡筒バリア１２およびディスプレイバリア１９を独立して移動させることができるため、ディスプレイ１８だけを開いて、レンズ鏡筒１１を閉じたままの状態とすることができる。これにより、レンズ鏡筒１１への汚れの付着を低減することができるとともに、傷が発生する割合を軽減することができる。
【００５４】
しかも、本実施形態では、鏡筒バリア１２およびディスプレイバリア１９の位置に応じて、カメラのモード（電源ＯＦＦ、ディスプレイ撮影モード、再生モード、ファインダ撮影モード）を切り換えることができるため、モードを切り換えるための操作部材をカメラ本体に別途設ける必要がなくなる。このように操作部材を省略することで、操作部材の煩雑な操作がなくなるとともに、カメラの小型化および低コスト化を図ることができる。
【００５５】
なお、本実施形態では、鏡筒バリア１２に連結部１２ａを形成し、ディスプレイバリア１９にクリック溝部１９ａを形成した構成としているが、逆の構成にすることもできる。すなわち、ディスプレイバリア１９に連結部を形成し、鏡筒バリア１２にクリック溝部を形成することもできる。
【００５６】
また、本実施形態では、カメラ動作に関するモードを電源ＯＦＦ、ディスプレイ撮影モード、再生モードおよびファインダ撮影モードとしているが、他のモードとしてもよい。
【００５７】
（第２実施形態）
第１実施形態では、２つのバリアの連結を断って一方のバリアだけを動かす場合には、必ず他方のバリアを固定している。本発明の第２実施形態であるカメラは、第１実施形態のカメラにおける構成を改良したものであり、バリアを固定することなく２つのバリアの連結を断ち、これらのバリアを独立して動かすことが可能となっている。
【００５８】
以下、図７から図９を用いて本実施形態のカメラについて説明する。なお、第１実施形態で説明した部材と同じ部材については、同一符号を付して説明を省略する。
【００５９】
図７は、鏡筒バリア１２およびディスプレイバリア１９を連結させる機構を概略的に示したものである。図８は、図７における「Ａ」から「Ｃ」の状態へ変化する際の動作の詳細を示したものである。図９は、図７における「Ｂ」から「Ｄ」の状態へ変化する際の動作の詳細を示したものである。
【００６０】
本実施形態は、鏡筒バリア１２およびディスプレイバリア１９の連動を、バネ部材を介した連結部材によって行うものである。
【００６１】
図７において、１２ｂは、ディスプレイバリア１９および鏡筒バリア１２を連結するための連結部材であり、１２ｃは、連結部材１２ｂと鏡筒バリア１２とを繋ぐバネ部材である。１９ｄは、ディスプレイバリア１９に形成された溝部であり、この溝部１９ｄには、連結部材１２ｂが係合可能となっている。
【００６２】
図８において、１９ｅは、ディスプレイバリア１９に形成された解除部材であり、連結部材１２ｂおよびディスプレイバリア１９の係合を解除するため部材である。また、１９ｆは、解除部材１９ｅに設けられたバネ部材であり、解除部材１９ｅを図８中下方向に付勢する。１９ｇ、１９ｈは傾斜部であり、連結部材１２ｂと当接して、連結部材１２ｂをディスプレイバリア１９の溝部１９ｄにガイドする。
【００６３】
図７〜図９に示す「Ａ」〜「Ｄ」の状態は、図２に示す「Ａ」〜「Ｄ」の状態と対応している。また、図８中「Ａ’」および図９中「Ｂ’」に示す状態はそれぞれ、「Ａ」および「Ｂ」の状態から他の状態に移行する際の途中の状態である。
【００６４】
ここで、本実施形態のカメラでは、第１実施形態のカメラと同様に、鏡筒バリア１２およびディスプレイバリア１９の位置によってカメラのモードを各種設定することができる。
【００６５】
すなわち、鏡筒バリア１２およびディスプレイバリア１９が、「Ａ」に示す位置にあるときには、カメラは電源ＯＦＦの状態となり、「Ｂ」に示す位置にあるときには、ディスプレイ撮影モードに設定される。また、「Ｃ」に示す位置にあるときには、再生モードに設定され、「Ｄ」に示す位置にあるときには、ファインダ撮影モードに設定される。
【００６６】
そして、後述するように、鏡筒バリア１２およびディスプレイバリア１９の位置を変えることにより、鏡筒バリア１２およびディスプレイバリア１９の位置に適したカメラのモードに切り換えることができる。
【００６７】
図７において、連結部材１２ｂは、バネ部材１２ｃを介して鏡筒バリア１２に連結されており、ディスプレイバリア１９の溝部１９ｄに係合することで、鏡筒バリア１２およびディスプレイバリア１９を一体となって動くようにしている。撮影者は、図７中「Ａ」の状態から撮影のために鏡筒バリア１２を手動で矢印ζ方向にスライドさせてレンズ鏡筒１１の前面を開くと、連結部材１２ｂおよび溝部１９ｄの係合により、ディスプレイバリア１９が鏡筒バリア１２と一体となって矢印ζ方向に移動し、ディスプレイ１８が露出する。これにより、カメラは図７中「Ｂ」の状態となる。
【００６８】
「Ａ」の状態からディスプレイバリア１９を単独で移動させる場合について、図８を用いて説明する。バネ部材１９ｆをチャージしながら解除部材１９ｅを矢印θ方向に押すと、「Ａ’」の状態に示すようにバネ部材１２ｃが縮むことにより、連結部材１２ｂとディスプレイバリア１９の溝部１９ｄとの係合が外れる。そして、ディスプレイバリア１９を単独で矢印ζ方向へ移動させることにより、「Ｃ」の状態となる。
【００６９】
逆に図８中「Ｃ」から「Ａ」の状態にするには、ディスプレイバリア１９を手動で図８中の矢印ι方向にスライドさせてディスプレイ１８を閉める。このとき、連結部材１２ｂは、傾斜部１９ｈに当接し、バネ部材１２ｃの収縮により傾斜部１９ｈに沿って移動することで溝部１９ｄに係合する。これにより、ディスプレイバリア１９および鏡筒バリア１２は、一体となって移動可能となる（「Ａ」の状態）。
【００７０】
「Ｂ」から「Ｃ」の状態にするときも、上述したように鏡筒バリア１２およびディスプレイバリア１９の連結を断ち、鏡筒バリア１２を単独で矢印η方向にスライドさせてレンズ鏡筒１１の前面を閉めればよい。すなわち、解除部材１９ｅを押し込むことにより連結部材１２および溝部１９ｄの係合を解除し、鏡筒バリア１２だけをスライドさせる。
【００７１】
一方、「Ｄ」の状態にするには、「Ｂ」の状態において、鏡筒バリア１２およびディスプレイバリア１９の連結を断ち、ディスプレイバリア１９だけを手動で矢印η方向にスライドさせてディスプレイ１８を閉めればよい。この場合、図９に示すように、バネ部材１９ｆをチャージしながら解除部材１９ｅを矢印κ方向に押し込むことで、「Ｂ’」に示すようにバネ部材１２ｃが縮んで連結部材１２ｂとディスプレイバリア１９の溝部１９ｄとの係合が外れる。これにより、ディスプレイバリア１９を単独で矢印λ方向へ移動させることが可能となる。
【００７２】
逆に図９中「Ｄ」から「Ｂ」の状態にするには、ディスプレイバリア１９を手動で矢印μ方向にスライドさせてディスプレイ１８を開ける。このとき、連結部材１２ｂは、傾斜部１９ｇに当接し、バネ部材の収縮により傾斜部１９ｇに沿って移動することで溝部１９ｄに係合する。これにより、ディスプレイバリア１９および鏡筒バリア１２は、一体となって移動可能となる（「Ｂ」の状態）。
【００７３】
本実施形態のカメラにおいては、第１実施形態と同様の効果を得ることができる。
【００７４】
なお、本実施形態では、鏡筒バリア１２にバネ部材１２ｃを介して連結部材１２ｂを設け、ディスプレイバリア１９に溝部１９ｄを設けた構成としているが、逆の構成にすることもできる。すなわち、ディスプレイバリア１９にバネ部材を介して連結部材を設け、鏡筒バリア１２に溝部を設けることができる。
【００７５】
（第３実施形態）
第１、第２実施形態では、鏡筒バリア１２およびディスプレイバリア１９を連結させたり、この連結を解除させたりするのにメカ的な機構を用いて行っている。本発明の第３実施形態では、電気部品を用いることで、２つのバリアの連結および連結解除を電気的な構成により行うものである。
【００７６】
以下、本実施形態のカメラについて図１０を用いて説明する。なお、第１実施形態で説明した部材と同じ部材については同一符号を付して説明を省略する。
【００７７】
図１０は、鏡筒バリア１２およびディスプレイバリア１９を連結させる機構を概略的に示したものである。
【００７８】
図１０において、１９ｉは連結部材で、後述する溝部１２ｄに係脱可能であり、係合状態で鏡筒バリア１２およびディスプレイバリア１９を連動させる。２４はプランジャであり、連結部材１９ｉとディスプレイバリア１９とを繋ぐとともに、連結部材１９ｉを溝部１２ｄに対して進退させる。
【００７９】
また、１９ｊは、プランジャ２４による連結部材１９ｉの進退を切り換えるために操作される切換スイッチ（切換ＳＷ、操作部材）であり、この切換ＳＷ１９ｊのＯＮ／ＯＦＦ状態に応じて鏡筒バリア１２およびディスプレイバリア１９を連結させたり、この連結を解除したりすることができる。１２ｄは、鏡筒バリア１２に形成された溝部であり、連結部材１９ｉが係合可能となっている。
【００８０】
図１０に示す「Ａ」〜「Ｄ」の状態は、図２に示す「Ａ」〜「Ｄ」の状態と対応している。また、「Ａ’」および「Ｂ’」の状態はそれぞれ、「Ａ」および「Ｂ」の状態から他の状態に移行する際の途中の状態である。
【００８１】
本実施形態では、第１実施形態と同様に、鏡筒バリア１２およびディスプレイバリア１９の位置によってカメラのモードを各種設定することができる。
【００８２】
すなわち、鏡筒バリア１２およびディスプレイバリア１９が、図１０中「Ａ」に示す位置にあるときには、カメラは電源ＯＦＦの状態となり、「Ｂ」に示す位置にあるときには、ディスプレイ撮影モードに設定される。また、図１０中「Ｃ」に示す位置にあるときには、再生モードに設定され、「Ｄ」に示す位置にあるときには、ファインダ撮影モードに設定される。
【００８３】
そして、鏡筒バリア１２およびディスプレイバリア１９の位置を変えることにより、鏡筒バリア１２およびディスプレイバリア１９の位置に適したカメラのモードに切り換えることができる。
【００８４】
図１０において、連結部材１９ｉは、プランジャ２４を介してディスプレイバリア１９に連結しており、連結部材１９ｉが鏡筒バリア１２の溝部１２ｄに係合することで、鏡筒バリア１２およびディスプレイバリア１９が必ず一体となって動くようになっている。
【００８５】
撮影者が、図１０中「Ａ」の状態から撮影のために鏡筒バリア１２を手動で矢印ν方向にスライドさせてレンズ鏡筒１１の前面を開くと、連結部材１９ｉおよび溝部１２ｄの係合によりディスプレイバリア１９が鏡筒バリア１２と一体となって矢印ν方向に移動し、ディスプレイ１８が露出する（「Ｂ」の状態）。
【００８６】
「Ａ」の状態におけるディスプレイバリア１９を単独で移動させる場合、まず鏡筒バリア１２との連結を解除するために切換ＳＷ１９ｊを押すことで、プランジャ２４により連結部材１９ｉを矢印ξ方向に移動させる（「Ａ’」の状態）。これにより、連結部材１９ｉおよび溝部１２ｄの係合が外れ、ディスプレイバリア１９だけを矢印ν方向に移動させることによりディスプレイ１９を開くことができる（「Ｃ」の状態）。
【００８７】
逆に「Ｃ」から「Ａ」の状態に戻すには、ディスプレイバリア１９を矢印ο方向にスライドさせてディスプレイ１８を閉じることで、「Ａ」の状態とすることができる。このとき、連結部材１９ｉは、カメラ本体横方向における溝部１２ｄの移動領域よりもディスプレイバリア１９側に位置している。
【００８８】
「Ｂ」から「Ｄ」の状態にするには、まず切換ＳＷ１９ｊを操作することで、「Ｂ’」に示すように連結部材１９ｉを溝部１２ｄとの係合から外す。そして、ディスプレイバリア１９を矢印ο方向にスライドさせてディスプレイ１８を閉じる。
【００８９】
逆に「Ｄ」から「Ｂ」の状態にするときも同様に、連結部材１９ｉおよび溝部１２ｄの係合が外れた状態で、ディスプレイバリア１９だけを手動で矢印ν方向にスライドさせてディスプレイ１８を開く（「Ｂ」の状態）。
【００９０】
本実施形態では、切換ＳＷ１９ｊの操作（手動）により、鏡筒バリア１２およびディスプレイバリア１９を連結したり、この連結を解除したりすることができる。ここで、切換ＳＷ１９ｊの誤操作による不具合を回避するために、連結部材１９ｉが鏡筒バリア１２に当接するとプランジャ２４を引っ込める機構や、タイマーによって一定時間が経過すると次の操作に相応しい位置までプランジャ２４を動かせるなどの公知の手段を設けることができる。
【００９１】
また、カメラを「Ａ」の状態に戻して、カメラのメイン電源をＯＦＦ状態にする前に、必ず鏡筒バリア１２およびディスプレイバリア１９が連結した状態、すなわち、連結部材１９ｉが溝部１２ｄに係合した状態としておくことが好ましい。本実施形態でも、第１実施形態と同様の効果を得ることができる。
【００９２】
なお、本実施形態では、ディスプレイバリア１９にプランジャ２４を介して連結部材１９ｉを設け、鏡筒バリア１２に連結部材１９ｉと係合する溝部１２ｄを設けた構成としているが、逆の構成にすることもできる。すなわち、鏡筒バリアにプランジャを介して連結部材を設け、ディスプレイバリアに連結部材と係合する溝部を設けることができる。
【００９３】
また、本発明は、レンズ鏡筒および撮影画像等を再生表示するディスプレイを備えたデジタルカメラや、フィルムを用いて撮影可能なカメラであって、所定の画像を表示するディスプレイを備えたカメラに適用することができる。
【００９４】
【発明の効果】
本発明によれば、第１のバリア部材および第２のバリア部材を独立して移動可能にしているため、画像表示部又はレンズ鏡筒のうち使用しないものについては第１のバリア部材又は第２のバリア部材で覆うことができ、画像表示部又はレンズ鏡筒に汚れや傷が付くのを軽減することができる。しかも、第１のバリア部材および第２のバリア部材の位置に応じてカメラ動作に関するモードを切り換えるようにしているため、モードを切り換えるための専用の操作部材が不要となり、この操作部材の煩雑な操作がなくなるとともに、部品点数の削減によりカメラの小型化および低コスト化を図ることができる。
【図面の簡単な説明】
【図１】（ａ）本実施形態であるカメラの正面側斜視図。
（ｂ）本実施形態であるカメラの背面側斜視図。
【図２】各モードにおける鏡筒バリアおよびディスプレイバリアの位置関係を示す概念図。
【図３】本実施形態のカメラにおけるブロック図。
【図４】鏡筒バリアＳＷおよびディスプレイバリアＳＷのＯＮ／ＯＦＦ状態と、カメラの各モードとの関係を示す図。
【図５】メインＩＣの動作を説明するフローチャート。
【図６】第１実施形態におけるバリアの連結機構を示す概念図。
【図７】第２実施形態におけるバリアの連結機構を示す概念図。
【図８】第２実施形態におけるバリアの連結機構の詳細を示す概念図。
【図９】第２実施形態におけるバリアの連結機構の詳細を示す概念図。
【図１０】第３実施形態におけるバリアの連結機構の詳細を示す概念図。
【符号の説明】
１０    カメラ本体
１１    レンズ鏡筒
１２    鏡筒バリア
１２ｂ  連結部材
１３    レリーズボタン
１４    ファインダ対物側窓
１５    投光用窓
１６    ストロボ
１７    ファインダ接眼側窓
１８    ディスプレイ
１９    ディスプレイバリア
１９ｅ  解除部材
１９ｈ  傾斜部
２４    プランジャ
【図１】
2004184652.tif 000003
【図２】
2004184652.tif 000004
【図３】
2004184652.tif 000005
【図４】
2004184652.tif 000006
【図５】
2004184652.tif 000007
【図６】
2004184652.tif 000008
【図７】
2004184652.tif 000009
【図８】
2004184652.tif 000010
【図９】
2004184652.tif 000011
【図１０】
2004184652.tif 000012